(57)【要約】【課題】高齢者や障害者が、使い勝手に合わせて取付けが出来て、片手で容易にトイレットペーパーを引き出し、下部のペーパー受け台にたたみ折りになり、そのまま切断出来る。また、トイレットペーパーの装填も容易なトイレットペーパーホルダーを提供する。【解決手段】トイレットペーパーの貫通口と固定するように形成されたペーパー支持棒を回転軸とし、トイレットペーパー支持棒の端に回転体を接続し、前記回転体を回動させてトイレットペーパーを下部トイレットペーパー受け台へと繰り出す。トイレットペーの切断面は前記カバー板の先端部もしくは前記下部トイレットペーパー受け台の先端部を使用出来る。前記トイレットペーパー支持棒を保持する回転支持穴を有する前記側板の反対側から水平方向にトイレットペーパーを容易に装填出来、上下反転しても効果が同一であるトイレットペーパーホルダーを提供する。【選択図】  図１
2007135659.tif 000002
【特許請求の範囲】
【請求項１】
取付け用平板の片側に側板を立設し、前記側板の略中央部に回転軸受用穴を開口するとともに、前記回転軸受用穴にトイレットペーパーの貫通口に固定するトイレットペーパー支持棒を回転軸として、その一端を回転自在に通して、前記側板の外側から前記回転軸に接続する回転体を適宜手段で回転させることが出来、前記取付け用平板の側面及び前記側板の上下面のいずれかの面にトイレットペーパーを覆うカバー板をヒンジ結合し、なお且つ前記カバー板が取付けられる反対側にはトイレットペーパー装填時に先端部より手前に位置するようにトイレットペーパー受け台を併設してなるトイレットペーパーホルダー。
【請求項２】
請求項１のトイレットペーパーホルダーにおいて、トイレットペーパーの貫通口と固定されるように、ゴムなどの滑り止め作用のある素材が、ブラシ状に形成されるトイレットペーパー支持棒を備えていることを特徴とするトイレットペーパーホルダー。
【発明の詳細な説明】
【技術分野】
【０００１】
本発明は、片手のみで使用出来るトイレットペーパーホルダーに関するものである。
【背景技術】
【０００２】
従来の一般的なトイレットペーパー用ホルダーは、カバー板の先端部を切断刃として使用し、切断するとトイレットペーパーの端部が重なりカバー板の下に隠れてしまう構造が多く、引き出しが困難であった。また、使用時片方の手だけでトイレットペーパーを引き出してから切り取る作業は、障害者及び高齢者には困難な作業であった。更に、片手で引き出したペーパーをたたむことは非常に難しいことである。
【０００３】
このような現状と要望から、片手のみで使用出来るトイレットペーパーホルダーも発明されている。例えば特開２０００−２８７８７４では片手で引き出し、切断出来、次回使用時のために先端部を垂れ下げるものがある。片手で使用出来るトイレットペーパーホルダーの提案の多さは、使用者が不便を感じているという事実が背景としてある。しかし、トイレットペーパーを片手で引き出し切断出来るだけでは、障害者及び高齢者の不便を解消出来るものではない。折りたたんで使いたいという要望も無視するわけにはいかない。だが、引き出したトイレットペーパーをたたみ折るのは片手だけでは非常に困難を要する。
【０００４】
また、特開２００３−１００６８と実願平０５−５６２７は下方に受け台を設け、引き出したトイレットペーパーを片手で折りたたんでカッター部分で切断するものが提案されている。しかし、このようなトイレットペーパーホルダーでは、トイレットペーパーの先端部が重なっていた場合には、トイレットペーパーの先端部を引き出す動作は片手だけでは困難であり、台を設けるだけでは折りたたむ動作も面倒で解決には至らない。
【０００５】
【特許文献１】特開２０００−２８７８７４号公報
【特許文献２】特開２００３−１００６８号公報
【特許文献３】実願平０５−５６２７号公報
【発明の開示】
【発明が解決しようとする課題】
【０００６】
本発明は、前記従来の技術における問題を解決するために発明されたもので、その課題は、トイレットペーパーを簡単に装填し、トイレットペーパーを容易に繰り出すことが出来て、下部に設けたトイレットペーパー受け台へたたみ折られることにより、紙を繰り出し、折りたたみ、切断する動作まで簡単容易に使用出来るトイレットペーパーホルダーを提供することである。
【課題を解決するための手段】
【０００７】
取付け用平板の片側に側板を立設し、前記側板の略中央部に回転軸受用穴を開口するとともに、前記回転軸受用穴にトイレットペーパーの貫通口に固定するトイレットペーパー支持棒を回転軸として、その一端を回転自在に通して、前記側板の外側から前記回転軸に接続する回転体を適宜手段で回転させることが出来、前記取付け用平板の側面及び前記側板の上下面のいずれかの面にトイレットペーパーを覆うカバー板をヒンジ結合し、なお且つ前記カバー板の取付けられる反対側にはトイレットペーパー装填時に先端部より手前に位置するようにトイレットペーパー受け台を併設してなるトイレットペーパーホルダーを提供する。
【０００８】
カバー板と下部トイレットペーパー受け台は、本体基部取付け後に併設し、よって、上下を反転して取付けしても同一の効果が得られるため、手に障害がある場合に回転体の位置を使い勝手に合わせて、トイレットペーパーホルダーをトイレの前方、左右の壁に設置することが出来る。
【発明の効果】
【０００９】
側板の反対側より水平方向からトイレットペーパーの交換作業を簡単容易に行なうことが出来、トイレットペーパー支持棒の一端に接続した回転体を回動させることにより、トイレットペーパーの先端部を本体基部の枠体の外へ確実に繰り出し、先端部が切断部に形成される下部トイレットペーパー受け台へとたたみ折りし、トイレットペーパーを切断部より切り離されるので、片手でも簡単に使用出来る。また、回転体の操作で所望の長さのトイレットペーパーを繰り出させて、たたみ折りの形で切り取ることが出来、使用者の清潔感・衛生感も満たすことが出来る。
【発明を実施するための最良の形態】
【００１０】
この発明に係るトイレットペーパーホルダーの実施形態を、図面を参照して説明する。
【実施例１】
【００１１】
図１は実施の形態に係るトイレットペーパーホルダーの分解図である。トイレットペーパー１６aの貫通口の太さに合わせて嵌合するように、トイレットペーパー支持棒１にはトイレットペーパー貫通口と固定するための部材２（ここではゴムなどの滑り止め作用のある素材）がブラシ状に付着して形成される。
【００１２】
トイレットペーパー支持棒１を回転軸とし、一端を側板４の中央部の回転軸受用穴６に回転自在に通し、歯車１１と接続する。図５はトイレットペーパー支持棒１と回転体（図５は歯車１１）の断面図であるが、トイレットペーパー支持棒１の片方の端は凹部２１に形成され、歯車１１の側に形成された凸部２２と接続する。また、この逆の形成もあり得る。ここまで上下反転しても同一効果が得られるため、使い勝手に合わせて取付け用平板３の上下の向きを変更出来る。歯車１１に操作コード１２を装着して、キャップ１３で塞ぐ。
【００１３】
側板４と反対側のカバー板取付け部５aまたは５ｂにカバー板7のカバー板回転軸８aと８bを保持し、トイレットペーパー１６aを覆う先端部が切断部に形成されるカバー板７を設ける。この本体基部から約２０ｃｍ〜３０ｃｍ下方にトイレットペーパー１６a装填時にトイレットペーパーの繰り出し部より先端部が約２〜３ｃｍ手前に位置するようにトイレットペーパー受け台９を併設する。
【００１４】
下部に併設するトイレットペーパー受け台９は、図１のように切り離して設置しても吊下げても良い。図８は取付け用平板３とトイレットペーパー受け台９の断面図であるが、取付け用平板３とトイレットペーパー受け台９の接続部２４で留めて一体型としても効果に変わりはない。
【００１５】
トイレットペーパー１６aはトイレットペーパー支持棒１に回転軸受用穴６を有する側板４の反対側から、水平にスライド式で装填させる。この時、ブラシ状に形成された滑り止め作用のあるゴムなどの素材がトイレットペーパー支持棒１とトイレットペーパー貫通口を固定する部材２となる。トイレットペーパー１６aの先端部はカバー板７の先端部側に置くのが通常であるが、その逆で、取付け用平板３側から下部のトイレットペーパー受け代９へ繰り出す装填の仕方も可能である。
【００１６】
図３がこの実施例１の形態に係るトイレットペーパーホルダーの斜視図であるが、固定されたトイレットペーパー１６aはトイレットペーパー支持棒１の一端に接続された回転体である歯車１１に装着した操作コード１２を引くことにより回動し、トイレットペーパー支持棒１に固定されたトイレットペーパー１６aは先端部を本体基部の枠体の外へ確実に繰り出し、先端部１０が切断部に形成される下部のトイレットペーパー受け台９へとたたみ折りされる。また、この時、トイレットペーパーの切断はカバー板７の先端部７aでも下部のトイレットペーパー受け台９の先端部１０のどちらでも構わない。図１のトイレットペーパー受け台９の先端部１０は、手に危険を与えない程度の歯形を形成しているが、形状は特に問題なく、少しの凸を成していれば、片手のわずかな力で容易に切断できる。
【実施例２】
【００１７】
図２は取付け用平板３を図1を反転してトイレットペーパー支持棒１の側から示したトイレットペーパーホルダーの分解図である。
【００１８】
ここでは、図１の取付け用平板３を上下反転した状態で示してある。このように回転体の位置を左右どちらにでも変えることが出来るので、使い勝手に合わせて取付けが可能である。図１はトイレットペーパー支持棒１に接続する回転体は歯車１１を形成しているが、図２では回転体はダイヤル１８を形成している。片手で簡単容易に操作出来るものであれば、歯車でなくてもハンドルやダイヤル１８、歯車とバネを連動させた紙送りギアをレバーで操作する回転体であっても良い。また、トイレットペーパー１６aの貫通口とトイレットペーパー支持棒１の固定手段を、トイレットペーパーの貫通口とトイレットペーパー支持棒の間に出来た隙間に合わせて大きさや形が変形するスポンジのような素材をトイレットペーパー支持棒１に付帯させても良い。また、トイレットペーパー支持棒１にバネ付の部材を取付けて、トイレットペーパーの貫通口との隙間分突出することで固定させることも可能である。
【実施例３】
【００１９】
図４は、この実施の形態に係るトイレットペーパーホルダーの部分図であるが、このように、トイレットペーパーの貫通口の太さが極めて細いトイレットペーパー１６bの場合、太さが直径約１ｃｍほどの回転軸を使用する。回転体は歯車１１やダイヤル１８でも構わないが、この場合は、一端をL字型を形成するハンドル式トイレットペーパー支持棒１７が使い易い。図６はハンドル式トイレットペーパー支持棒１７と回転体の分解図で、図7はこのトイレットペーパー支持棒１７と回転体の断面図である。ハンドル式トイレットペーパー支持棒１７と回転軸受用穴６の接点が移動しないように横ズレ防止部１９を設け、トイレットペーパー１６bを固定する側を凸部、回転体側を凹部に形成し、接続部２３を回転軸受用穴６で嵌合すると横にずれることがなく安定する。また、前記凹凸はその逆であっても問題ない。ハンドルの先端部のグリップ２０で回動させるが、グリップ２０を握る手が取付けた壁にぶつかると使い勝手が悪いため、グリップ２０の部分が回転軸受穴６から約３〜５ｃｍ手前側にカーブした形成を成すと使い易い。ハンドル式トイレットペーパー支持棒１７にトイレットペーパー１６bの重さが負担になる場合は、トイレットペーパー１６ｂの下部に支えを設けても良い。
【００２０】
以上、本発明を上述の実施例のとおりに説明したが、本発明の目的の範囲内で、変形や応用も可能であるが、それらは設計上の問題であり本発明の本質ではない。
【産業上の利用可能性】
【００２１】
本発明は、片手で簡単容易に使用出来るトイレットペーパーであるが、同様の構造を待つキッチンペーパーホルダーとしても利用出来る可能性がある。
【図面の簡単な説明】
【００２２】
【図１】実施例１のトイレットペーパーホルダーの分解図である。
【図２】実施例２のトイレットペーパーホルダーの分解図である。
【図３】実施例１のトイレットペーパーホルダーの斜視図である。
【図４】実施例３のトイレットペーパーホルダーの部分図である。
【図５】図１と図２の回転軸と回転体の断面図である。
【図６】実施例３のトイレットペーパー支持棒と回転体の分解図である。
【図７】図６のトイレットペーパー支持棒と回転体の断面図である。
【図８】図２の取付け用平板とトイレットペーパー受け台の断面図である。
【符号の説明】
【００２３】
１  トイレットペーパー支持棒
２  トイレットペーパー貫通口と固定するための部材
３  取付け用平板
４  側板
５a カバー板取付け部
５b カバー板取付け部
６  回転軸受用穴
７  カバー板
７a カバー板先端部
８a カバー板回転軸
８b カバー板回転軸
９  トイレットペーパー受け台
10  トイレットペーパー受け台先端部
11  歯車
12  操作コード
13  歯車のキャップ
14a カバー板回転保持穴（反対側15a）
14b カバー板回転保持穴（反対側15b）
15a カバー板回転保持穴
15b カバー板回転保持穴
16a トイレットペーパー
16b 貫通口が細いトイレットペーパー
17  ハンドル式トイレットペーパー支持棒
ダイヤル
横ズレ防止部
グリップ部
トイレットペーパー支持棒凹部
回転体凸部
接続部
取付け用平板とトイレットペーパー受け台接続部
【図１】
2007135659.tif 000003
【図２】
2007135659.tif 000004
【図３】
2007135659.tif 000005
【図４】
2007135659.tif 000006
【図５】
2007135659.tif 000007
【図６】
2007135659.tif 000008
【図７】
2007135659.tif 000009
【図８】
2007135659.tif 000010